(57)【特許請求の範囲】
【請求項１】
柱、梁を含む直方体状のフレームを有する建物ユニットを複数組合わせて構成され、複数の階数を有するユニット式建物であって、
２以上の階に配置される上階建物ユニットの側面には、上階拡張ユニットが突設され、前記上階建物ユニットの直下に配置される下階建物ユニットの側面には、前記上階拡張ユニットの直下に、下階拡張ユニットが突設され、これら上階建物ユニット、上階拡張ユニット、下階建物ユニット、下階拡張ユニットの内部空間が互いに連通し、
前記４種類のユニットが形成する連通空間には、前記建物ユニットの長さ寸法より長い階段が設置され、
前記下階拡張ユニットの柱の略中央に中間梁が架設されており、
前記中間梁が形成する上面には、前記階段の踊り場の部分が設けられる
ことを特徴とするユニット式建物。
【請求項２】
請求項１に記載のユニット式建物において、
前記４種類のユニットは、各ユニットの集まる部分の梁が欠損し、
前記下階拡張ユニットの短辺方向の側面には、前記欠損している梁の部分の側における上側の梁の下面から対角線上に、前記中間梁の上面にかけてブレースが架設されている
ことを特徴とするユニット式建物。
【請求項３】
請求項１または請求項２に記載のユニット式建物において、
前記上階建物ユニットには、前記上階拡張ユニットに相当する横幅を有する側面開口部が形成され、前記下階建物ユニットには、前記下階拡張ユニットに相当する横幅を有する側面開口部が形成されている
ことを特徴とするユニット式建物。
【請求項４】
請求項１から請求項３のいずれかに記載のユニット式建物において、
前記上階建物ユニットの床部には、床面開口部が形成され、前記下階建物ユニットの天井部には、前記上階建物ユニットの床面開口部に対応する天井面開口部が形成されており、前記上階拡張ユニットの床部には、床面開口部が形成され、前記下階拡張ユニットの天井部には、前記上階拡張ユニットの床面開口部に対応する天井面開口部が形成されていることを特徴とするユニット式建物。
【請求項５】
複数の建物ユニットから構成されるユニット式建物の建物本体の側面部分に配置される建物ユニットの側面開口部を覆うように突設される拡張ユニットであって、
前記建物ユニットの側面開口部に接合される側の上梁が欠損し、
前記拡張ユニットの柱の略中央に中間梁が架設されており、
前記中間梁が形成する上面には、前記階段の踊り場の部分が設けられる
ことを特徴とする拡張ユニット。
【請求項６】
請求項５に記載の拡張ユニットにおいて、
前記拡張ユニットの短辺方向の側面には、前記欠損している梁の部分の側における上側の梁の下面から対角線上に、前記中間梁の上面にかけてブレースが架設されている
ことを特徴とする拡張ユニット。
【発明の詳細な説明】
【０００１】
【発明の属する技術分野】
本発明は、ユニット式建物および拡張ユニットに関する。
【０００２】
【背景技術】
従来より、住宅等の建物はプレハブ化が進行し、箱形の建物ユニットを縦横に配列するユニット式建物がある。建物ユニットは、鉄骨等の柱梁を箱形に組合わせてフレームを形成し、その内部に床や天井および内装を施すとともに、適宜外周に外壁材が装着される。組み立て時には、フレームの各コーナー部を連結等して建物全体で強度を確保している。
【０００３】
また、建物ユニットでは、フレームサイズは規格化され、基本的には直方体状である。また、建物における配列方向も標準化されており、例えば、直方体状の建物ユニットは、同じ建物では、短辺側面が一定の方向に並べられる。ここで、直階段等の長尺設備を建物ユニットの短辺方向に配置すると、建物ユニット内に長尺設備を収められない場合がある。この場合、長尺設備を分割して、それぞれを別の建物ユニットに取り付けておき、建物ユニットの連結時に長尺設備を同時に連結する方法が考えられる。
しかしながら、前記の方法では、建物ユニットの位置調整と同時に、長尺設備の連結部分の調整も必要なため、構造の複雑化、組み立て作業が煩雑化するという問題がある。
【０００４】
この長尺設備を分割する方法に対し、複数の建物ユニットの内部空間を連通し、これら複数の建物ユニットにまたがって妻方向に延びる直階段を設置する提案がなされ（特開平８ー３１２０９１号参照）、建物ユニットとは別体で階段等の長尺設備を取付けるので、階段等の連結作業が簡単になった。
【０００５】
【発明が解決しようとする課題】
しかしながら、階段等が建物ユニットの長さ寸法より、僅かに大きい程度であっても、この階段等の設置のために、前述のようにして複数の建物ユニットで内部空間を構成すると、必要以上の空間が余ることにより、内部空間を有効に利用しているとはいえず、また、設置する建物ユニットは、利用する空間に比較して、コストが増大するという問題がある。
【０００６】
本発明の目的は、ユニット式建物の内部空間を有効に利用でき、かつ、製造コストが低いユニット式建物および拡張ユニットを提供することにある。
【０００７】
【課題を解決するための手段】
上記目的を達するために、本発明のユニット式建物１は、柱３０、梁３１を含む直方体状のフレームを有する建物ユニット１０、１１、２０、２１を複数組合わせて構成され、複数の階数を有するユニット式建物であって、２以上の階に配置される上階建物ユニット２１の側面には、上階拡張ユニット２２が突設され、前記上階建物ユニットの直下に配置される下階建物ユニット１１の側面には、前記上階拡張ユニットの直下に、下階拡張ユニット１２が突設され、これら上階建物ユニット、上階拡張ユニット、下階建物ユニット、下階拡張ユニットの内部空間が互いに連通し、前記４種類のユニットが形成する連通空間７には、前記建物ユニットの長さ寸法より長い階段３が設置され、前記下階拡張ユニットの柱の略中央に中間梁４３が架設されており、前記中間梁が形成する上面には、前記階段の踊り場の部分が設けられることを特徴とするユニット式建物。
【０００８】
ここで、建物ユニットは、一般的には、四隅に立設された四本の柱と、各柱の上端間および下端間に架け渡された各四本の上梁および下梁とで構成された骨組みで構成することができる。また、長尺な上梁間には複数の天井小梁が架設され、各天井小梁の下部に天井面材を張ることで天井が形成されるようになっている。また、長尺な下梁間には複数の根太が架設され、各根太の上部に床面材を張ることで床が形成されるようになっている。
【０００９】
拡張ユニットは、建物ユニットの側面に突設される片持ち支持構造のユニットであり、垂直部材４０、水平部材４１等を組合わせたフレームを具備したものである。また、拡張ユニットは、通常の建物ユニットよりも部品点数や部品の材質等が簡素化されている。
【００１０】
このような本発明によれば、拡張ユニットを利用して内部空間を拡張した部分を形成することにより、建物ユニットの長さ寸法よりも大きな階段を設ける場合、階段の建物ユニットのはみ出し部分に応じた拡張ユニットを用いて連通した空間を形成できるので、連通空間を必要最小限の大きさとして有効活用することができる。また、拡張ユニットは、通常の建物ユニットと比較して、安価であり、また輸送時のコストも低くすることができるので、全体の製造コストを低くすることができる。
本発明のユニット式建物では、前記４種類のユニットは、各ユニットの集まる部分の梁が欠損し、前記下階拡張ユニットの短辺方向の側面には、前記欠損している梁の部分の側における上側の梁の下面から対角線上に、前記中間梁の上面にかけてブレース４２が架設されていることが好ましい。
これによれば、４種類のユニットの集まる部分の梁が欠損していることにより、連通空間を障害物のない広く連通した空間とすることができるので、階段の設置自由度が大幅に向上する。
【００１１】
本発明のユニット式建物では、前記上階建物ユニットには、前記上階拡張ユニットに相当する横幅を有する側面開口部２１Ａが形成され、前記下階建物ユニットには、前記下階拡張ユニットに相当する横幅を有する側面開口部１１Ａが形成されていることが好ましい。これによれば、上下階建物ユニットには、上下階拡張ユニットのそれぞれに相当する横幅を有する側面開口部が形成されていることにより、拡張ユニットを接続するだけで、建物ユニットと拡張ユニットにまたがる連通空間を形成できるので、容易に連通空間を備えるユニット式建物とすることができる。
【００１２】
本発明のユニット式建物では、前記上階建物ユニットの床部には、床面開口部２１Ｃが形成され、前記下階建物ユニットの天井部には、前記上階建物ユニットの床面開口部に対応する天井面開口部１１Ｂが形成されており、前記上階拡張ユニットの床部には、床面開口部２２Ｃが形成され、前記下階拡張ユニットの天井部には、前記上階拡張ユニットの床面開口部に対応する天井面開口部１２Ｂが形成されていることが好ましい。
これによれば、拡張ユニットを接続するだけで、上下階にまたがる連通空間を形成できるので、容易に上下階を連通する連通空間を備えるユニット式建物とすることができる。
【００１４】
長尺設備とは、階段、壁画、スクリーン等が挙げられる。このような場合に前述のような問題が生じるため、構造の複雑化を招くことなく、空間の有効利用を図りつつ、直階段等の長尺設備を設けることができる。
【００１５】
本発明の拡張ユニットは、複数の建物ユニットから構成されるユニット式建物の建物本体の側面部分に配置される建物ユニットの側面開口部を覆うように突設される拡張ユニットであって、前記建物ユニットの側面開口部に接合される側の上梁が欠損し、前記拡張ユニットの柱の略中央に中間梁が架設されており、前記中間梁が形成する上面には、前記階段の踊り場の部分が設けられることを特徴とする。ここで、拡張ユニットは、下階用の場合には、上梁が欠損することになる。このような拡張ユニットがあれば、前記のような連通空間を形成する拡張ユニットとして好適である。
本発明の拡張ユニットでは、前記拡張ユニットの短辺方向の側面には、前記欠損している梁の部分の側における上側の梁の下面から対角線上に、前記中間梁の上面にかけてブレースが架設されていることが好ましい。
【００１６】
【発明の実施の形態】
以下、本発明の実施の形態を図面に基づいて説明する。
図１には、本発明の一実施形態に係るユニット式建物１の斜視図が示されている。
図１において、ユニット式建物１は、基礎４上に形成される居室空間となる建物本体５と、拡張部６と、を備えて構成される。
【００１７】
建物本体５は、直方体状の複数の一階建物ユニット１０、１１と、これら一階建物ユニット１０、１１の上部に配置された複数の二階建物ユニット２０、２１と、から構成される。建物本体５は、各建物ユニット１０、１１、２０、２１の短辺側が、建物本体の短辺側に向くように配置され、各建物ユニット１０、１１、２０、２１の長辺側が、建物本体の長辺側に向くように配置されたものである。
【００１８】
拡張部６は、短辺側の端面から建物本体５の長辺の略４分の１程度までの長さで、建物本体５の長辺側の側面に突設され、一階拡張ユニット１２と、二階拡張ユニット２２と、を含んで構成される。
【００１９】
また、建物本体５および拡張部６内には、一階建物ユニット１１と、二階建物ユニット２１と、一階拡張ユニット１２と、二階拡張ユニット２２と、を組合わせることにより、鎖線内の空間である上下階間に連通する連通空間７が形成される。この連通空間７内には、曲折階段３が設けられ、この曲折階段３は、建物本体５の短辺方向略中央部から、長辺方向の外壁に向かい、一階拡張ユニット１２の略２分の１の高さで、１８０度曲がり、さらに、建物本体５の短辺方向の中央部に向かい、略一階拡張ユニット１２の高さまで、架設されている。
【００２０】
ここで、建物本体５を構成する一階建物ユニット１０、二階建物ユニット２０は、図２に示すように、四隅に立設された四本の柱３０と、各柱３０の上端間および下端間に架け渡された各四本の上梁３１および下梁３１とで構成された骨組みを備えている。また、長尺な上梁３１間には複数の天井小梁３５が架設され、各天井小梁３５の下部に天井面材（図示略）を張ることで天井が形成されるようになっている。また、長尺な下梁３１間には複数の根太３４が架設され、各根太３４の上部に床面材（図示略）を張ることで床が形成されるようになっている。
【００２１】
図３には、連通空間７を構成する各ユニット１１、１２、２１、２２の配置を示す斜視図が示されている。二階建物ユニット２１の側面には、二階拡張ユニット２２が突設され、二階建物ユニット２１の直下に配置される一階建物ユニット１１の側面には、二階拡張ユニット２２の直下に、一階拡張ユニット１２が突設されている。
【００２２】
二階建物ユニット２１は、図４に示すように、四隅に立設された四本の柱３０と、長辺部分の中央部分に配置される二本の中間柱３６と、各柱３０、３６の上端間および下端間に架け渡された上下の梁３１および中間柱３６の上端間および下端間に架け渡された各一本の上下の中間梁３３と、がそれぞれ接合ボックス３７によって接合されることにより構成されている。
【００２３】
二階建物ユニット２１は、中間柱３６及び中間梁３３に応じた位置に、設けられる間仕切り壁によって区画され、一方は、居室部２１０、他方は、連通部２１１に、区画されている。居室部２１０には、二階建物ユニット２１の長辺方向の上側の対向する梁３１間に、複数の天井小梁３５が架設されている。さらに、短辺方向の上側の梁３１と、この梁３１と最も近い天井小梁３５と、の間には、長辺方向と平行に二本の補強梁３８が、長辺方向の梁３１側に配置され、等間隔に架設されている。
【００２４】
同様に、中間梁３３と、中間梁３３と最も近い天井小梁３５と、の間には、長辺方向と平行に二本の補強梁３８が、長辺方向の梁３１側に配置され、等間隔に架設されている。各天井小梁３５の上面には、ブレース３２が対角線上に二本架け渡され、各天井小梁３５の下部には、図示は略すが、天井面材を張ることで天井が形成されるようになっている。
【００２５】
さらに、短辺方向の下側の梁３１と、この梁３１と最も近い根太３４と、の間には、長辺方向と平行に二本の補強梁３８が、長辺方向の梁３１側に配置され、等間隔に架設されている。同様に、中間梁３３と、中間梁３３と最も近い根太３４と、の間には、長辺方向と平行に二本の補強梁３８が、長辺方向の梁３１側に配置され、等間隔に架設されている。各根太３４の上部には、図示は略すが床面材を張ることで床が形成されるようになっている。
【００２６】
連通部２１１は、長辺方向の下側の外壁部分に相当する梁が欠損している。この梁が欠損している部分を含む側面部分が、側面開口部２１Ａとなり、床部分が、床面開口部２１Ｃとなる。
この連通部２１１には、二階建物ユニット２１の長辺方向の上側の対向する梁３１間に、複数の天井小梁３５が架設され、その上に、つまり、柱３０及び中間柱３６上の上側の接合ボックス３７の間の対角線上にブレース３２が二本架け渡されている。
【００２７】
二階建物ユニット２１の側面開口部２１Ａ側の柱３０及び中間柱３６の屋外側の上端部には、板状の接合プレート５４がそれぞれ、溶接され、下端部の接合ボックス３７には、接合ブラケット６０がそれぞれ溶接されている。この接合プレート５４は、詳しくは、図８、図９に示すように、接合孔が形成された板状の部材に、ナットがその孔に対応する位置に接合されている部材である。
接合ブラケット６０は、詳しくは、図１０、図１１に示すように、側面Ｌ字形の本体と、本体のＬ字内側に垂直に溶接される３枚の補強プレートと、から構成される。
【００２８】
図５に戻って、一階建物ユニット１１も二階建物ユニット２１と同様に、長辺の中央部より、居室部１１０と、ユニット式建物１の短辺側の外壁を含む連通部１１１と、に区画される。居室部１１０は、居室部２１０と大きさ、形状、構成が同じである。連通部１１１は、四隅に立設された二本の柱３０および二本の中間柱３６と、各柱３０、３６の上端間および下端間に架け渡された二本の上側の梁３１、三本の下側の梁３１および各一本の上下の中間梁３３と、がそれぞれ接合ボックス３７によって接合されることにより構成されている。
【００２９】
この一階建物ユニット１１は、長辺方向の上側の外壁部分に相当する梁が欠損している。この梁が欠損している部分を含む側面部分が、側面開口部１１Ａとなり、天井部分が、天井面開口部１１Ｂとなる。
【００３０】
また、連通部１１１には、一階建物ユニット１１の長辺方向の下側の対向する梁３１間に、複数の天井小梁３５が架設されている。さらに、短辺方向の下側の梁３１と、この梁３１と最も近い天井小梁３５と、の間には、長辺方向と平行に二本の補強梁３８が、長辺方向の梁３１側に配置され、等間隔に架設されている。
【００３１】
一階建物ユニット１１も、二階建物ユニット２１と同様にして、側面開口部１１Ａ側の柱３０及び中間柱３６の外壁面側の上端部には、板状の接合プレート５４がそれぞれ、溶接され、下端部の接合ボックス３７には、接合ブラケット６０がそれぞれ溶接されている。
【００３２】
これら天井面開口部１１Ｂと床面開口部２１Ｃは、同一形状で、大きさも同じである。実際の組み立て作業時には、この一階建物ユニット１１の上部に天井面開口部１１Ｂと床面開口部２１Ｃを対応させるようにして、二階建物ユニット２１が付設される。
【００３３】
図３に戻って、側面開口部２１Ａ側には、直方体状の二階拡張ユニット２２が突設される。二階拡張ユニット２２は、高さ方向の寸法は、二階建物ユニット２１と同じであり、短辺方向の寸法が、二階建物ユニット２１の約３分の１程度であり、長辺方向の寸法が、二階建物ユニット２１の約２分の１程度である。
【００３４】
二階拡張ユニット２２は、図６に示すように、四隅に立設された四本の垂直部材である柱４０と、柱４０の上端間および下端間に架け渡された水平部材である四本の上側の梁４１と、三本の下側の梁４１と、により構成されている。詳しくは、図１１に示すように、柱４０と梁４１との接続は、柱４０から突出した板状の突出部４８と、梁４１内に設けられた断面Ｌ字形の板状の接続部４９によって行われる。
【００３５】
この二階拡張ユニット２２は、長辺方向の下側の梁が一本欠損している。また、短辺方向の側面には、上側の梁４１の下面から対角線上に、欠損している梁の部分の対向する下側の梁４１の上面にかけてブレース４２が一本ずつ架設されている。
【００３６】
詳しくは、図８に示すように、柱４０と梁４１の交差する角隅部分に、矩形板状の接合板４５が設けられている。ブレース４２は、この接合板４５上に溶接されている。また、柱４０内に設けられた板状の接合部４６が、梁４１内に挿入され、梁４１内に設けられた板状の接合部４７と接合されることにより、柱４０および梁４１が接続される。
【００３７】
この接合では、図示しないが、接合部４６、４７を挿通する接続孔が形成され、ワッシャー５３と接続孔をボルト５１で挿通し、ナット５２で緊締することにより、接合される。この接合は、等間隔に、接合部４６、４７側の各２箇所ずつ行われている。
【００３８】
図６に戻って、この梁が欠損している部分を含む側面部分が、側面開口部２２Ａとなり、床部分が、床面開口部２２Ｃとなる。この側面開口部２２Ａは、側面開口部２１Ａと同一形状で、大きさも同じである。
【００３９】
また、二階拡張ユニット２２には、側面開口部２２Ａ側の柱４０の上端部には、接合部材５０がそれぞれ、接合され、下端部側には、接合ブラケット６０がそれぞれ溶接されている。接合部材５０は、正面板状、断面Ｌ字形状の金属製の部材である。接合ブラケット６０は、下向きに溶接されている。
【００４０】
図３に戻って、側面開口部１１Ａ側には、直方体状の一階拡張ユニット１２が突設される。一階拡張ユニット１２の寸法は、二階拡張ユニット２２の寸法と同じである。
【００４１】
また、一階拡張ユニット１２は、図７に示すように、四隅に立設された四本の垂直部材である柱４０と、柱４０の上端間および下端間に架け渡された三本の上側の水平部材である梁４１と、四本の下側の梁４１と、四本の中間梁４３と、により構成されている。一階拡張ユニット１２は、長辺方向の上側の梁が一本欠損している。中間梁４３は、柱４０の略中央部に架設されている。対向する長辺方向の中間梁４３との間および対向する長辺方向の下側の梁４１との間には、それぞれ複数の根太４４が架設されている。この４本の中間梁４３が形成する上面には、図１に示した曲折階段３の踊り場の部分が設けられる。
【００４２】
また、短辺方向の側面には、欠損している梁の部分の側の上側の梁４１の下面から対角線上に、中間梁４３の上面にかけてブレース４２が一本ずつ架設されている。さらに、短辺方向の側面には、欠損している梁の部分の側の中間梁４３の下面から対角線上に、欠損している梁の部分の対向する下側の梁４１の上面にかけてブレース４２が一本ずつ架設されている。
【００４３】
この梁が欠損している部分を含む側面部分が、側面開口部１２Ａとなり、天井部分が、天井面開口部１２Ｂとなる。この側面開口部１２Ａは、側面開口部１１Ａと同一形状で、大きさも同じである。
【００４４】
また、一階拡張ユニット１２には、側面開口部１２Ａ側の柱４０の上端部には、接合部材５０がそれぞれ、接合され、下端部側には、接合ブラケット６０がそれぞれ溶接されている。接合部材５０は、正面板状、断面Ｌ字形状の金属製の部材である。接合ブラケット６０は、下向きに溶接されている。
【００４５】
実際の組み立て作業は、図１に示すように、一階建物ユニット１１を他の一階建物ユニット１０と同様に、基礎４上に、クレーン等でつり下げ作業をして、設置する。次に、二階建物ユニット２０を一階建物ユニット１０上に、二階建物ユニット２１を一階建物ユニット１１上にそれぞれ、クレーン等でつり下げて、設置する。その際、各ユニット１０、１１、２０、２１の接続は、シアープレートを用いた公知の方法を採用できる。
【００４６】
また、二階建物ユニット２１を一階建物ユニット１１上に設置する際には、図３に示すように、天井面開口部１１Ｂと床面開口部２１Ｃが対応するように位置合わせをする。
【００４７】
次に、一階拡張ユニット１２の側面開口部１２Ａを一階建物ユニット１１の側面開口部１１Ａが対応するように位置合わせをし、一階拡張ユニット１２を一階建物ユニット１１の側面に突設する。
その際、一階建物ユニット１１と一階拡張ユニット１２の接合は、図１０、１１に示すように、柱３０の左側面側に設けられた接合ブラケット６０と、柱４０の右側面側に設けられた接合ブラケット６０によって行われ、接合ブラケット６０は、柱３０、４０に溶接されて接合される。
【００４８】
柱３０の左側面側に設けられた接合ブラケット６０は、上向きに配置され、柱４０の右側面側に設けられた接合ブラケット６０は、下向きに配置され、これら接合ブラケット６０は、互いに対称配置されている。これら接合ブラケット６０の接合する部分には、図示は略すが、接続孔が形成され、ワッシャー５３とそれぞれの接合ブラケット６０を、ボルト５１が挿通し、ナット５２によって緊締されて接合される。
この際、接合プレート５４は、図８、９に示すように、柱３０の屋外側にナットの部分の径に相当する孔を開けておき、そこにナットの部分を挿入し、接合プレート５４が柱３０に溶接される。
【００４９】
一階拡張ユニット１２の接合部材５０と一階建物ユニット１１の接合プレート５４との接合では、接合部材５０、接合プレート５４、柱３０の側面の順に、挿通する接続孔Ａが予め形成されており、ワッシャー５３を接合部材５０側に挟んで、ボルト５１を挿通させ、ナット５２で緊締することにより接合される。
【００５０】
最後に、図３に戻って、一階拡張ユニット１２の上部に、天井面開口部１２Ｂと二階拡張ユニット２２の床面開口部２２Ｃを対応させ、側面開口部２１Ａ、２２Ａを対応させるようにして、二階拡張ユニット２２を突設する。この際の接合部材５０、接合プレート５４の接合、接合ブラケット６０同士の接合は、上記したように、一階建物ユニット１１と一階拡張ユニット１２の接合の場合と同様である。
【００５１】
上述のような本実施形態によれば、次のような効果がある。
（１）拡張ユニット１２、２２を利用して拡張部６を形成することにより、建物ユニット１１、２１の長さ寸法よりも大きな長尺設備を設ける場合、長尺設備の建物ユニットのはみ出し部分に応じた拡張ユニット１２、２２を用いて連通空間７を形成できるので、連通空間７を必要最小限の大きさとして有効活用することができる。
（２）拡張ユニット１２、２２は、通常の建物ユニット１１、２１と比較して、安価であり、また輸送時のコストも低くすることができるので、全体の製造コストを低くすることができる。
（３）４種類のユニット１１、１２、２１、２２の集まる部分の梁が欠損していることにより、連通空間７を障害物のない広く連通した空間とすることができるので、曲折階段３の設置自由度が大幅に向上する。
【００５２】
なお、本発明は前記実施形態に限定されるものではなく、本発明の目的を達成できる範囲での変形、改良は、本発明に含まれるものである。例えば、長尺設備としては、前記実施形態では、曲折階段３を採用していたが、これに限られず直階段、壁画、スクリーン等も採用できる。
その他、本発明を実施する際の具体的な構造および形状等は、本発明の目的を達成できる範囲内で他の構造等としてもよい。
【００５３】
【発明の効果】
請求項１記載の発明によれば、拡張ユニットを利用して内部空間を拡張した部分を形成することにより、建物ユニットの長さ寸法よりも大きな階段を設ける場合、階段の建物ユニットのはみ出し部分に応じた拡張ユニットを用いて連通した空間を形成できるので、連通空間を必要最小限の大きさとして有効活用することができる。また、拡張ユニットは、通常の建物ユニットと比較して、安価であり、また輸送時のコストも低くすることができるので、全体の製造コストを低くすることができる。
また、この発明によれば、構造の複雑化を招くことなく、空間の有効利用を図りつつ、直階段等を設けることができる。
請求項２記載の発明によれば、４種類のユニットの集まる部分の梁が欠損していることにより、連通空間を障害物のない広く連通した空間とすることができるので、階段の設置自由度が大幅に向上する。
【００５４】
請求項３記載の発明によれば、上下階建物ユニットには、上下階拡張ユニットのそれぞれに相当する横幅を有する側面開口部が形成されていることにより、拡張ユニットを接続するだけで、建物ユニットと拡張ユニットにまたがる連通空間を形成できるので、容易に連通空間を備えるユニット式建物とすることができる。
【００５５】
請求項４記載の発明によれば、拡張ユニットを接続するだけで、上下階にまたがる連通空間を形成できるので、容易に上下階を連通する連通空間を備えるユニット式建物とすることができる。
【００５８】
請求項５記載の発明によれば、前記のような連通空間を形成する拡張ユニットとして好適である。
【図面の簡単な説明】
【図１】本発明の一実施形態のユニット式建物を示す斜視図である。
【図２】図１の実施形態における通常の建物ユニットを示す斜視図である。
【図３】図１の実施形態における建物ユニットと拡張ユニットの接続を示す斜視図である。
【図４】図１の実施形態における二階建物ユニットを示す斜視図である。
【図５】図１の実施形態における一階建物ユニットを示す斜視図である。
【図６】図１の実施形態における二階拡張ユニットを示す斜視図である。
【図７】図１の実施形態における一階拡張ユニットを示す斜視図である。
【図８】図１の実施形態における建物ユニットと拡張ユニットの上部接続を示す側部断面図である。
【図９】図１の実施形態における建物ユニットと拡張ユニットの上部接続を示す上部断面図である。
【図１０】図１の実施形態における建物ユニットと拡張ユニットの下部接続を示す側部断面図である。
【図１１】図１の実施形態における建物ユニットと拡張ユニットの下部接続を示す上部断面図である。
【符号の説明】
１      ユニット式建物
３      曲折階段
７      連通空間
１０、１１      一階建物ユニット
１１Ａ、２１Ａ      側面開口部
１１Ｂ、１２Ｂ      天井面開口部
１２      一階拡張ユニット
２０、２１      二階建物ユニット
２１Ｃ、２２Ｃ      床面開口部
２２      二階拡張ユニット
３０、４０      柱
３１、４１      梁
【図１】
0004801857.tif 000002
【図２】
0004801857.tif 000003
【図３】
0004801857.tif 000004
【図４】
0004801857.tif 000005
【図５】
0004801857.tif 000006
【図６】
0004801857.tif 000007
【図７】
0004801857.tif 000008
【図８】
0004801857.tif 000009
【図９】
0004801857.tif 000010
【図１０】
0004801857.tif 000011
【図１１】
0004801857.tif 000012